(57)【特許請求の範囲】
【請求項１】
建築物の柱、梁、又はそれらに取り付けられた下地部材に建築用のパネルを取り付けるための取付金具であって、前記パネルに固定される平板状のパネル固定部と、段差部を介して前記パネル固定部に連結され、前記パネル固定部の面内方向に延設される延設片と、前記パネル固定部に一体化されると共に、前記延設片とで前記柱、前記梁又は前記下地部材を挟むように前記延設片の両側に配置される側片と、を備えることを特徴とする取付金具を用いて、建築物の柱、梁、又はそれらに取り付けられた下地部材に建築用のパネルを取り付ける取付方法であって、
前記パネル固定部と前記パネルとをボルト結合で仮止めするステップと、
前記柱、前記梁又は前記下地部材と前記側片の面を当接させるステップと、
前記ボルトを回転軸として前記取付金具を回転させることにより、前記側片と前記延設片との間に前記柱、前記梁又は前記下地部材を差し込むステップと、を備えることを特徴とする取付方法。
【請求項２】
建築物の柱、梁、又はそれらに取り付けられた下地部材に建築用のパネルを取り付けるための取付金具であって、前記パネルに固定される平板状のパネル固定部と、段差部を介して前記パネル固定部に連結され、前記パネル固定部の面内方向に延設される延設片と、前記パネル固定部に一体化されると共に、前記延設片とで前記柱、前記梁又は前記下地部材を挟むように前記延設片の両側に配置される側片と、前記側片と前記延設片との間に差し込まれる前記柱、前記梁又は前記下地部材に前記取付金具を固定するための固定手段と、を備え、前記固定手段は、前記延設片に設けられたネジ穴と、前記ネジ穴に螺合して前記柱、前記梁又は前記下地部材を前記側片に押し付けるネジ又はボルトとを有することを特徴とする取付金具を用いて、建築物の柱、梁又はそれらに取り付けられた下地部材に建築用のパネルを取り付ける取付構造であって、
前記パネル固定部は、締結部材によって前記パネルに締結固定されており、
前記柱、前記梁又は前記下地部材は、前記延設片と前記側片との間に差し込まれる平板状のフランジ部を有しており、
前記フランジ部は、前記フランジ部に装着されて係合する係合部材を介して前記側片と前記延設片との間に差し込まれて、前記延設片に設けられた前記ネジ穴に螺合する前記ネジ又は前記ボルトにより前記側片側に押し付けられており、
前記係合部材は、前記フランジ部の外面と内面に沿って延在する第１フレームと第２フレームと、前記フランジ部の両側面に沿って延びる第３フレームと第４フレームとを備えており、
前記第１フレーム又は前記第２フレームには、前記ネジ穴に螺合する前記ネジ又は前記ボルトが挿通する挿通穴が設けられていることを特徴とする取付構造。
【発明の詳細な説明】
【技術分野】
【０００１】
本発明は、建築物の柱、梁又はそれらに取り付けられた下地部材に建築用のパネルを取り付けるための取付金具、取付構造及びその取付方法に関するものである。
【背景技術】
【０００２】
従来、このような分野の技術として、例えば特開平７−１８７６８号公報に記載されたものがある。この公報に記載のパネル取付構造は、建築用のパネルにボルト締めにより固定された取付金具と、Ｈ形鋼に取り付けられた十字状の下地部材とを備えており、取付金具には、十字状の下地部材と係合する係合部が設けられている。
【０００３】
このような取付構造に係る取付方法では、パネルの片端部に取付金具をボルト止めし、その状態でパネルを吊り上げて、躯体に固定された十字状の下地部材に取付金具の係合部を差し込む。この発明に係る取付構造及び取付方法によれば、部材点数を減らし、Ｈ形鋼にパネルを精度よく簡単に取り付けることができる。
【先行技術文献】
【特許文献】
【０００４】
【特許文献１】特開平７−１８７６８号公報
【発明の概要】
【発明が解決しようとする課題】
【０００５】
しかしながら、上述の取付方法では、取付金物をパネルに固定した後、十字状の下地部材に当該取付金物を上から差し込む施工方法を採用しているため、取付金物が固定されたパネルを吊るレッカー操作と受け手の作業員の間に高度な連係が要求されていた。その結果、施工手間がかかり、施工性が悪くなる問題があった。また、横壁構法の場合、吊り上げたパネルを既に建て込まれた下段のパネルの上に乗せた後、パネルを水平方向にずらしながら取付金具の係合部に下地部材を差し込み、所定の位置に位置決めすることが要求さる。その結果、施工性が悪く横壁構法には適用し難い問題があった。
このような問題を解決するため、例えば、パネルに埋設されたボルトで取付金具をパネルに仮止めしてから、パネルを所定の位置に建て込み、その後、取付金具をボルト周りに回転させて下地部材のフランジに係止する施工方法が実施されている。
【０００６】
しかし、特許文献１の取付金具は、段差部を有する係合部が取付金具の外側に配置されているため、取付金具をボルト周りに回転させる際、係合部の段差と下地部材とが干渉する問題があった。干渉を避けるためには取付金具のボルト固定位置と下地部材との距離を大きくとる必要があり、これによって、ボルトの引抜き力による取付金具に作用するモーメントが大きくなり、取付構造の強度が低下する問題があった。
また、前述の特許文献１の発明にあたっては、取付金具は下地部材の鉛直方向のフランジを狭持する構成であるため、パネル取付けの施工性と精度は下地部材のフランジ厚みの公差と取付金具の溝部分の寸法公差に影響される。下地材のフランジ厚と取付金具の溝部分の寸法のクリア寸法が小さいと取付金具を下地部材のフランジに差し込む際にきつくなって施工効率が低下し、またクリア寸法が大きい場合は、差し込む作業性は容易であるが、取付金具と下地部材間にがたつきが生じ、パネルの取付精度がでないという問題があった。
【０００７】
本発明は、このような技術課題を解決するためになされたものであって、簡易な方式で施工性の改善及び取付構造の強度の確保を図ることができる取付金具、取付構造及びその取付方法を提供することを目的とする。
【課題を解決するための手段】
【００１７】
本発明に係る取付方法は、建築物の柱、梁、又はそれらに取り付けられた下地部材に建築用のパネルを取り付けるための取付金具であって、パネルに固定される平板状のパネル固定部と、段差部を介してパネル固定部に連結され、パネル固定部の面内方向に延設される延設片と、パネル固定部に一体化されると共に、延設片とで柱、梁又は下地部材を挟むように延設片の両側に配置される側片と、を備えることを特徴とする取付金具を用いて、建築物の柱、梁、又はそれらに取り付けられた下地部材に建築用のパネルを取り付ける取付方法であって、パネル固定部とパネルとをボルト結合で仮止めするステップと、柱、梁又は下地部材と側片の面を当接させるステップと、ボルトを回転軸として取付金具を回転させることにより、側片と延設片との間に柱、梁又は下地部材を差し込むステップと、を備えることを特徴とする。
【００１８】
本発明に係る取付方法では、柱、梁又は下地部材と側片の面を当接させて、ボルトを回転軸として取付金具を回転させることによって側片と延設片との間に柱、梁又は下地部材を差し込むので、延設片と側片との間に柱、梁又は下地部材を容易に差し込むことが可能となり、施工性を向上することができる。しかも、この場合には、取付金具の段差部と柱、梁又は下地部材との干渉を避けるためにとる距離を短くすることが可能となるので、回転軸（ボルト）から下地部材までの距離が小さくなり、ボルトの引抜力による取付金具に作用するモーメントを小さくすることができ、取付構造の強度を確保することができる。更に、柱、梁又は下地部材と側片の面を当接させてから、取付金具を回転させて側片と延設片との間に柱、梁又は下地部材を差し込むため、ライナー金具等の部材が不要となり、施工が簡単になる。その結果、簡易な方式で施工性の改善及び取付構造の強度の確保を両立することが可能となる。
【００１９】
本発明に係る取付構造は、建築物の柱、梁、又はそれらに取り付けられた下地部材に建築用のパネルを取り付けるための取付金具であって、パネルに固定される平板状のパネル固定部と、段差部を介してパネル固定部に連結され、パネル固定部の面内方向に延設される延設片と、パネル固定部に一体化されると共に、延設片とで前記柱、梁又は下地部材を挟むように延設片の両側に配置される側片と、側片と延設片との間に差し込まれる柱、梁又は下地部材に取付金具を固定するための固定手段と、を備え、固定手段は、延設片に設けられたネジ穴と、ネジ穴に螺合して柱、梁又は下地部材を側片に押し付けるネジ又はボルトとを有することを特徴とする取付金具を用いて、建築物の柱、梁又はそれらに取り付けられた下地部材に建築用のパネルを取り付ける取付構造であって、パネル固定部は、締結部材によってパネルに締結固定されており、柱、梁又は下地部材は、延設片と側片との間に差し込まれる平板状のフランジ部を有しており、フランジ部は、フランジ部に装着されて係合する係合部材を介して側片と延設片との間に差し込まれて、延設片に設けられたネジ穴に螺合するネジ又はボルトにより側片側に押し付けられており、係合部材は、フランジ部の外面と内面に沿って延在する第１フレームと第２フレームと、フランジ部の両側面に沿って延びる第３フレームと第４フレームとを備えており、第１フレーム又は第２フレームには、ネジ穴に螺合するネジ又はボルトが挿通する挿通穴が設けられていることを特徴とする。
【００２０】
本発明に係る取付構造では、柱、梁又は下地部材のフランジ部がそれに装着された係合部材を介して側片と延設片との間に差し込まれて、延設片に設けられたネジ穴に螺合するネジ又はボルトにより側片側に押し付けられており、しかも、このネジ又はボルトが係合部材に設けられた挿通穴を挿通しているので、取付金具が面内方向に摺動する場合、ネジ又はボルトが係合部材の挿通穴を形成する周壁と干渉して、取付金具の摺動を抑制することができる。これによって、取付金具の摺動による面内方向の外れを防止することができる。
【発明の効果】
【００２１】
本発明によれば、簡易な方式で施工性の改善及び取付構造の強度の確保を図ることができる取付金具、取付構造及び取付方法を提供することができる。
【図面の簡単な説明】
【００２２】
【図１】第１実施形態に係る取付金具を示す斜視図である。
【図２】第１実施形態に係る取付金具を示す斜視図である。
【図３】第１実施形態に係る取付構造を示す断面図である。
【図４】取付手順を示す概略図である。
【図５】取付手順を示す概略図である。
【図６】第２実施形態に係る取付構造を示す断面図である。
【図７】係合部材の装着状態を示す斜視図である。
【図８】第３実施形態に係る取付構造を示す断面図である。
【図９】係合部材がＨ形鋼に装着された状態を示す斜視図である。
【発明を実施するための形態】
【００２３】
以下、図面を参照して本発明に係る取付金具、取付構造及びその取付方法の実施形態を説明する。なお、説明において同一の構成要素には同一の符号を付し、重複する説明を省略する。
【００２４】
（第１実施形態）
図１及び図２は、第１実施形態に係る取付金具を示す斜視図である。取付金具１は、定規アングル（下地部材）に建築用のパネルを取り付けるためのものであり、一枚の金属板を所定の形状に切り込み加工した後、その切り込み部分を引き起こすことにより成形されている。取付金具１は、平板状のパネル固定部２、段差部３を介してパネル固定部２に連結された延設片４、パネル固定部２と一体化されると共に延設片４の両側に配置される一対の側片５ａ，５ｂを備えている。
【００２５】
パネル固定部２の略中央には、締結部材が挿通するための貫通穴６が形成されている。この貫通穴６は、取付金具１の高さ方向に沿って縦長の楕円形状に加工されている。段差部３は、パネル固定部２に対して所定の角度をもって傾斜している。延設片４は、パネル固定部２に対して段差部３の高さをもって配置されており、パネル固定部２の面内方向に沿ってパネル固定部２と平行して延設されている。そして、延設片４の中央には、延設片４の板を貫通するネジ穴７が形成されている。このネジ穴７には、ネジ８が螺合されている。なお、ネジ穴７及びネジ８は、定規アングル１０（図３参照）に取付金具１を固定する固定手段として機能している。
【００２６】
側片５ａ，５ｂは、パネル固定部２と同一平面に配置され、延設片４の延設方向（すなわち、パネル固定部２の面内方向）に沿ってパネル固定部２から張り出している。これによって、延設片４は、側片５ａ，５ｂに対して段差部３の高さをもって離間することになり、側片５ａ，５ｂと延設片４との間には、定規アングル１０のフランジ部１１，１２を差し込む空間を形成する。そして、この側片５ａ，５ｂ及び延設片は、段差部３と共に差し込まれる定規アングル１０を保持する。
【００２７】
図３は第１実施形態に係る取付構造を示す断面図である。図３に示すように、取付金具１は、パネル固定部２がパネル９の内側面９ａに当接された状態で、貫通穴６に挿入されるボルト（締結部材）１３によってパネル９に固定されている。定規アングル１０は、その第１フランジ部１１が側片５ａ，５ｂと延設片４との間に差し込まれて、側片５ａ，５ｂに当接して取付金具１に固定されている。
【００２８】
具体的には、定規アングル１０は、互いに直交する第１フランジ部１１と第２フランジ部１２によりＬ字状に形成されている。第１フランジ部１１が側片５ａ，５ｂと延設片４との間に差し込まれて、延設片４に設けられたネジ穴７に螺合するネジ８によって側片５ａ，５ｂに押し付けられている。
【００２９】
図３に示すように、定規アングル１０における側片５ａ，５ｂに接する平面１０ａからパネル９の内側面９ａまでの所要の離間寸法Ｌが、側片５ａ，５ｂの板厚と同じであることが好適である。この場合には、側片５ａ，５ｂの板厚の寸法によって定規アングル１０とパネル９との所要の離間寸法を決めることが可能となるので、取付金具１の加工精度や定規アングル１０の板厚の公差に影響されずパネルの取付精度を高める効果をもたらす。また、側片５ａ，５ｂの定規アングル１０に接する平面５ｃ，５ｄには、鋸状に加工された滑り止め部Ｓが設けられている。このように滑り止め部Ｓを設けることによって、取付金具１を定規アングル１０に確実に固定することができ、取付金具１が定規アングル１０の面内方向に位置ズレすることを抑制することができる。
【００３０】
以下、図４及び図５を参照して取付金具１を用いた取付方法について説明する。下記の説明において、横壁構法のパネルの設置に適した例を挙げて説明するが、本実施形態係る取付方法は縦壁構法のパネルの設置にも適用する。
【００３１】
まず、パネル固定部２をパネル９の内側面９ａに当接させて、取付金具１の貫通穴６にボルト１３を挿入し、パネル９に取付金具１を仮止めし、レッカーやウインチなどでパネル９を吊り上げて所定の場所に移動する。次に、図４（ａ）に示すように、パネル９に仮止めした取付金具１を定規アングル１０に当てる。すなわち、取付金具１のパネル固定部２の平面を定規アングル１０の第１フランジ部１１の外面に当接させる。
【００３２】
次に、ボルト１３を回転軸として取付金具１を反時計回り（図４（ｂ）中矢印Ｆ１参照）に回転させて、定規アングル１０の第１フランジ部１１と側片５ｂの平面５ｄを当接させる。続いて、取付金具１を更に回転させて、延設片４と側片５ａ，５ｂとの間に第１フランジ部１１を差し込む。そして、第１フランジ部１１が延設片４と側片５ａ，５ｂとの間に入った後、図５（ａ）中矢印Ｆ２に示す方向に沿って取付金具１をスライドすることにより、取付金具１と定規アングル１０との位置を調整する。
【００３３】
次に、ネジ８を締め付けることにより、第１フランジ部１１を側片５ａ，５ｂに押し付ける。最後に、ボルト１３を本締めして、取付金具１とパネル９とを固定させる。これにより、パネル９が定規アングル１０に取り付けられる（図５（ｂ）参照）。
上記の例では、図４（ａ）に示すような向きで、取付金具１をパネル９に仮止めしたが、図４（ｂ）に示すような向きで、取付金具１をパネル９に仮止めしてもよい。すなわち、パネル建込の際、取付金具１の側片５ａまたは５ｂの平面を定規アングル１０の第１フランジ部１１の外面に当接させる方法でも良い。
また、上記の例では、ネジ８を締め付け、第１フランジ部１１を側片５ａ，５ｂに押し付けた後に、ボルト１３を本締めして取付金具１とパネル９とを固定したが、ネジ８を締付ける工程とボルト１３を本締めする工程は逆であってもよい。
【００３４】
本実施形態に係る取付金具１では、延設片４が段差部３を介してパネル固定部２に連結され、側片５ａ，５ｂが延設片４とで定規アングル１０の第１フランジ部１１を挟むように延設片４の両側に配置されているため、取付金具１を回転させることにより延設片４と側片５ａ，５ｂとの間に定規アングル１０の第１フランジ部１１を差し込む際に、取付金具１の段差部３と定規アングル１０との干渉を避けるためにとる距離を短くすることが可能となる。このため、パネル締結部材（ボルト１３）から定規アングル１０までの距離が小さくなり、ボルト１３の引き抜き力により取付金具１に作用するモーメントが小さく、接合された構造の強度を確保することができる。
【００３５】
しかも、この場合には、取付金具１を回転させることにより、延設片４と側片５ａ，５ｂとの間に定規アングル１０の第１フランジ部１１を容易に差し込むことが可能となるので、施工性を向上することができる。その結果、簡易な方式で施工性の改善及び取付構造の強度の確保を両立することが可能となる。
【００３６】
また、延設片４に設けられたネジ穴７とネジ穴７に螺合するネジ８とからなる固定手段を備えるので、ネジ８を締め付けることにより定規アングル１０の第１フランジ部１１を側片５ａ，５ｂに押し付けることができる。従って、側片５ａ，５ｂと延設片４との間に差し込まれた定規アングル１０を容易に固定することができ、取付構造の強度の確保を図ることができる。しかも、溶接作業が不要となり、溶接作業や溶接部の補修作業がなくなり、施工性を向上することができる。また、締付けトルク管理や回転角度の管理など施工品質管理がしやすく、確実に施工することが可能となる。更に、ボルトを用いた場合、柱裏などのような施工スペースが狭いところでも、スパナ等を入れて施工が可能である。
【００３７】
そして、このように構成された取付金具１を用いた取付構造では、定規アングル１０の第１フランジ部１１が側片５ａ，５ｂと延設片４との間に差し込まれて、ネジ８により側片５ａ，５ｂに押し付けられているので、簡単な構造をもって定規アングル１０にパネル９を取り付けることができる。また、上述の取付金具１を用いることにより、パネル９固定ボルト１３の引抜力による取付金具１に作用するモーメントを小さく抑え、接合された構造の強度を確保しながら、かつ、取付金具１の柱、梁、下地部材への差し込み作業が容易で、パネル９取付精度が高い取付構造とすることができる。更に、取付金具１と定規アングル１０との溶接を省略することができ、施工効率がアップする。
【００３８】
また、本実施形態に係る取付方法では、定規アングル１０の第１フランジ部１１と側片５ａの平面５ｃまたは側片５ｂの平面５ｄを当接させてガイドとしながら、ボルト１３を回転軸として取付金具１を回転させることにより側片５ａ，５ｂと延設片４との間に第１フランジ部１１を差し込むので、延設片４と側片５ａ，５ｂとの間に定規アングル１０を容易に差し込むことが可能となり、施工性を向上することができる。
【００３９】
しかも、この場合には、取付金具１の段差部３と定規アングル１０との干渉を避けるためにとる距離を短くすることが可能となるので、パネル締結部材（ボルト１３）から定規アングル１０までの距離が小さくなり、ボルト１３の引抜力により取付金具１に作用するモーメントを小さくすることができ、取付構造の強度を確保することができる。更に、パネル９の建込作業時、側片５ａ，５ｂを定規アングル１０に当接させることにより、定規アングル１０とパネル９内側面９ａとの所要の離間寸法を確保しながら施工することが可能となり、従来必要であった離間寸法を確保するためのライナープレートを省くことができる。その結果、簡易な方式で施工性の改善及び取付構造の強度の確保を両立することが可能となる。
【００４０】
また、上述の取付方法の説明では、横壁構法のパネルの設置について説明したが、本実施形態に係る取付方法は縦壁構法のパネルの設置にも適用可能である。
【００４１】
（第２実施形態）
図６は第２実施形態に係る取付構造を示す断面図である。この実施形態に係る取付構造は、定規アングル１０がクサビ（固定手段）１４によって側片５ａ，５ｂに押し付けられる点において第１実施形態と異なっている。その他の構造等は第１実施形態と同様であるので、重複する説明を省略する。
【００４２】
具体的には、取付金具１の延設片４は、定規アングル１０の第１フランジ部１１を挟むように側片５ａ，５ｂに対し傾斜している。第１フランジ部１１は、延設片４と側片５ａ，５ｂとの間に差し込まれて、延設片４と第２フランジ部１２との間に打ち込まれたクサビ１４によって側片５ａ，５ｂに押し付けられている。本実施形態に係る取付構造は、第１実施形態に係る取付構造と同様に、簡単な構造をもって定規アングル１０にパネル９を取り付けることができ、施工用の部品数が少ないため、施工効率をアップすることができる。
【００４３】
（第３実施形態）
以下、図７及び図８を参照して第３実施形態に係る取付構造を説明する。この実施形態に係る取付構造は、定規アングル１０がその第１フランジ部１１に装着されて係合する係合部材１５を介して延設片４と側片５ａ，５ｂとの間に差し込まれる点において第１実施形態と異なっている。その他の構造等は第１実施形態と同様であるので、重複する説明を省略する。
【００４４】
具体的には、図７に示すように、係合部材１５は、一枚の平板を所定の形状に折り曲げることにより形成されている。この係合部材１５は、定規アングル１０の第１フランジ部１１の外面１１ａと内面１１ｂに沿ってそれぞれ延設される第１フレーム１６と第２フレーム１７と、第１フランジ部１１の側面１１ｃと第２フランジ部１２の外面１２ａ（すなわち、第１フランジ部１１の側面）に沿って延在する第３フレーム１９と第４フレーム２０とを有している。なお、第２フレーム１７は、第１フランジ部１１の内面１１ｂ全面にわたって延設されていない。このようにすれば、第１フランジ部１１に係合部材１５を装着したり、第１フランジ部１１からはずしたりすることが容易になる。
【００４５】
第１フレーム１６と第２フレーム１７とは、図における左右方向から第１フランジ部１１を挟持し、第３フレーム１９と第４フレーム２０とは、図における上下方向から第１フランジ部１１を挟持している。また、第２フレーム１７の中央には、ネジ穴７に螺合するネジ８が挿通する挿通穴１８が設けられている。
【００４６】
図８は第３実施形態に係る取付構造を示す断面図である。図８に示すように、定規アングル１０の第１フランジ部１１が、それに装着されて係合する係合部材１５を介して延設片４と側片５ａ，５ｂとの間に差し込まれて、挿通穴１８を挿通するネジ８により側片５ａ，５ｂ側に押し付けられている。
【００４７】
本実施形態に係る取付構造では、第１フランジ部１１が係合部材１５を介して側片５ａ，５ｂと延設片４との間に差し込まれて、挿通穴１８を挿通するネジ８により側片５ａ，５ｂ側に押し付けられているので、取付金具１がパネル固定部２の面内方向に摺動する場合、ネジ８が係合部材１５の挿通穴１８を形成する周壁と干渉して、取付金具１の摺動を抑制することができる。これによって、取付金具１の摺動による面内方向の外れを防止することができる。
【００４８】
なお、係合部材１５はＬ字状の定規アングルのほか、Ｈ形鋼にも適用される。図９は係合部材がＨ形鋼に装着された状態を示す斜視図である。図９に示すように、Ｈ形鋼２１のフランジ部２２には、係合部材２３が装着されている。係合部材２３は、フランジ部２２の外面２２ａと内面２２ｂに沿って延在する第１フレーム２４と第２フレーム２５と、フランジ部２２の両側面２２ｃ，２２ｄに沿って延びる第３フレーム２６と第４フレーム２７とを備えている。なお、第２フレーム２５は、フランジ部２２の内面２２ｂ全面にわたって延設されていない。このようにすれば、フランジ部２２に係合部材２３を装着したり、フランジ部２２からはずしたりすることが容易になる。
【００４９】
第１フレーム２４と第２フレーム２５とは、図における上下方向からフランジ部２２を挟持し、第３フレーム２６と第４フレーム２７とは、図における左右方向からフランジ部２２を挟持している。また、第１フレーム１７には、ネジ穴に螺合するネジが挿通する挿通穴２８，２９が設けられている。
【００５０】
そして、フランジ部２２が係合部材２３を介して側片５ａ，５ｂと延設片４との間に差し込まれて、挿通穴２８，２９を挿通するネジ８により側片５ａ，５ｂ側に押し付けられる場合において、取付金具１がパネル固定部２の面内方向に摺動する際、ネジ８が係合部材２３の挿通穴２８，２９を形成する周壁と干渉して、取付金具１の摺動を抑制することができる。その結果、取付金具１の摺動による面内方向の外れを防止することができる。
【００５１】
上述した実施形態は本発明に係る取付金具、取付構造及びその取付方法の一例を説明したものであり、本発明に係る取付金具、取付構造及びその取付方法は実施形態に記載したものに限定されるものではない。本発明に係る取付金具、取付構造及びその取付方法は、各請求項に記載した要旨を変更しないように実施形態に係る取付金具、取付構造及びその取付方法を変形し、又は他のものに適用したものであってもよい。
【００５２】
例えば、上述の実施形態では、取付金具１を定規アングル１０に固定する固定手段としてネジ８による押し付け方法とクサビ１４による方法を説明したが、これに限らず、リベットによる接合や溶接等の接合方法を利用してもよい。また、上述の実施形態では、パネル９の取り付ける相手として定規アングル１０の場合を挙げて説明を行ったが、Ｈ形鋼の建築物の柱や梁等にも適用される。建築用のパネルとしては、主に軽量気泡コンクリートパネルや押出成形セメント板などに適用される。
【００５３】
また、下地部材に取付金具を固定する固定手段としては、延設片４に設けられたネジ穴７（タップ切るタイプ）とネジ穴７に螺合するネジ８又はボルトとからなるもののほか、例えば延設片４にナットを溶接またはナットをかしめて、ナットと螺合するボルト又はネジとしてもよく、延設片４に穴（タップなし）とタッピングビスとからなるものや、延設片４に穴等の加工を行わずにセルフドリルビスを用いるものでもよい。
【符号の説明】
【００５４】
１…取付金具、２…パネル固定部、３…段差部、４…延設片、５ａ，５ｂ…側片、７…ネジ穴、８…ネジ（固定手段）、９…パネル、１０…定規アングル（下地部材）、１１…第１フランジ部、１２…第２フランジ部、１３…ボルト（締結部材）、１４…クサビ（固定手段）、１５…係合部材、１６…第１フレーム、１７…第２フレーム、１８…挿通穴、Ｓ…滑り止め部。
【図１】
0005583364.tif 000002
【図２】
0005583364.tif 000003
【図３】
0005583364.tif 000004
【図４】
0005583364.tif 000005
【図５】
0005583364.tif 000006
【図６】
0005583364.tif 000007
【図７】
0005583364.tif 000008
【図８】
0005583364.tif 000009
【図９】
0005583364.tif 000010